(57)【要約】【課題】予備苗載置台の構成の簡素化などを図りながら予備苗補給作業の高効率化を図れるようにする。【解決手段】複数の苗仕切壁部１５Ｂを左右方向に一定間隔をあけた状態に整列形成して隣り合う苗仕切壁部１５Ｂの間のそれぞれにマット状苗を載置する苗載置部１５Ａを区画形成した苗載台１５を備え、苗載台１５の上部近傍箇所に予備のマット状苗を載置する予備苗載置台２０を配備した田植機の予備苗載置構造において、予備苗載置台２０に、苗掬い板２５を苗載置部１５Ａのそれぞれに対応する位置に固定する固定部２７を備えて、苗掬い板２５を介して予備のマット状苗を載置するように構成してある。【選択図】図３
2012244911.tif 000002
【特許請求の範囲】
【請求項１】
複数の苗仕切壁部を左右方向に一定間隔をあけた状態に整列形成して隣り合う前記苗仕切壁部の間のそれぞれにマット状苗を載置する苗載置部を区画形成した苗載台を備え、前記苗載台の上部近傍箇所に予備のマット状苗を載置する予備苗載置台を配備した田植機の予備苗載置構造において、
前記予備苗載置台に、苗掬い板を前記苗載置部のそれぞれに対応する位置に固定する固定部を備えて、前記苗掬い板を介して予備のマット状苗を載置するように構成してある田植機の予備苗載置構造。
【請求項２】
前記予備苗載置台を、予備のマット状苗を載置保持する載置姿勢と、予備のマット状苗の前記苗掬い板から前記苗載置部への供給を可能にする供給姿勢とに、左右向きの支軸を支点にした姿勢変更が可能となるように構成してある請求項１に記載の田植機の予備苗載置構造。
【請求項３】
前記予備苗載置台に、それぞれの前記苗掬い板から対応する前記苗載置部への予備のマット状苗の供給を許容する状態と阻止する状態とに各別に切り換え可能な複数のストッパを装備してある請求項１又は２に記載の田植機の予備苗載置構造。
【発明の詳細な説明】
【技術分野】
【０００１】
本発明は、複数の苗仕切壁部を左右方向に一定間隔をあけた状態に整列形成して隣り合う前記苗仕切壁部の間のそれぞれにマット状苗を載置する苗載置部を区画形成した苗載台を備え、前記苗載台の上部近傍箇所に予備のマット状苗を載置する予備苗載置台を配備した田植機の予備苗載置構造に関する。
【背景技術】
【０００２】
田植機の一例である乗用田植機では、上記のような田植機の予備苗載置構造として、予備のマット状苗を直に載置することができる複数の予備苗載置部を備えるように予備苗載置台を構成したものがある（例えば特許文献１参照）。
【先行技術文献】
【特許文献】
【０００３】
【特許文献１】特開平９−１８７１２０号公報
【発明の概要】
【発明が解決しようとする課題】
【０００４】
上記の構成では、予備苗載置台の各予備苗載置部に、予備のマット状苗を安定状態で載置するための少なくともマット状苗と同じ面積を有する苗載置面を備える必要があることから、予備苗載置台の構成の簡素化などを図る上において改善の余地がある。又、上記の構成では、育苗箱からマット状苗を掬い取る苗掬い板に載置した状態で予備苗載置台まで運び込むことが一般的である予備のマット状苗を苗掬い板から予備苗載置台の予備苗載置部に移し変える手間や、移し変え後の苗掬い板を保管場所などに戻す手間が生じることから、予備苗載置台にマット状苗を補給する予備苗補給作業の高効率化を図る上においても改善の余地がある。
【０００５】
本発明の目的は、予備苗載置台の構成の簡素化などを図りながら予備苗補給作業の高効率化を図れるようにすることにある。
【課題を解決するための手段】
【０００６】
第１の発明は、複数の苗仕切壁部を左右方向に一定間隔をあけた状態に整列形成して隣り合う前記苗仕切壁部の間のそれぞれにマット状苗を載置する苗載置部を区画形成した苗載台を備え、前記苗載台の上部近傍箇所に予備のマット状苗を載置する予備苗載置台を配備した田植機の予備苗載置構造において、
前記予備苗載置台に、苗掬い板を前記苗載置部のそれぞれに対応する位置に固定する固定部を備えて、前記苗掬い板を介して予備のマット状苗を載置するように構成してある。
【０００７】
第１の発明によると、マット状苗を苗掬い板に載置した状態で予備苗載置台まで運び込んだ後、予備苗載置台の各固定部で苗掬い板を固定することにより、苗掬い板を苗載置面に利用した状態で予備のマット状苗を苗載台の各苗載置部に対応する位置に安定状態で載置保持することができる。
【０００８】
従って、予備苗載置台に苗載置面を備える必要がなく、又、予備のマット状苗を苗掬い板から予備苗載置台に移し変える手間などを省くことができ、結果、予備苗載置台の構成の簡素化や予備苗載置台の製造に要するコストの削減などを図りながら予備苗補給作業の高効率化を図ることができる。
【０００９】
第２の発明は、上記第１の発明において、
前記予備苗載置台を、予備のマット状苗を載置保持する載置姿勢と、予備のマット状苗の前記苗掬い板から前記苗載置部への供給を可能にする供給姿勢とに、左右向きの支軸を支点にした姿勢変更が可能となるように構成してある。
【００１０】
第２の発明によると、予備苗載置台を載置姿勢から供給姿勢に姿勢変更することにより、予備苗載置台の各固定部で固定した苗掬い板を予備苗載置台に残した状態で、予備のマット状苗の全てを予備苗載置台から苗載台に一括供給することができる。
【００１１】
従って、予備苗補給作業の高効率化を更に図ることができる。
【００１２】
第３の発明は、上記第１又は第２の発明において、
前記予備苗載置台に、それぞれの前記苗掬い板から対応する前記苗載置部への予備のマット状苗の供給を許容する状態と阻止する状態とに各別に切り換え可能な複数のストッパを装備してある。
【００１３】
第３の発明によると、走行時の振動などに起因した予備のマット状苗の苗掬い板から苗載置部への移動を防止できるようにしながら、供給が必要な所定の苗載置部への予備のマット状苗の供給を選択的に可能にすることができる。
【００１４】
これは、予備苗載置台の姿勢変更による予備の全マット状苗の予備苗載置台から苗載台への一括供給を可能にした場合に特に有効であり、この一括供給の際に供給が不要な所定の苗載置部に対する予備のマット状苗の供給のみを選択的に停止することができる。
【００１５】
従って、予備苗補給作業の高効率化を図りながらも、作業状況に応じた適切な予備苗補給を行うことができる。
【図面の簡単な説明】
【００１６】
【図１】一括供給型の予備苗載置台を備えた乗用田植機の全体側面図である。
【図２】一括供給型の予備苗載置台を備えた乗用田植機の全体平面図である。
【図３】予備苗載置台の縦断側面図である。
【図４】縦送り機構のローラの構成を示す要部の一部切り欠き背面図である。
【図５】縦送り機構のローラの構成を示す要部の側面図である。
【図６】ローラコンベヤ利用の予備苗載置台を備えた乗用田植機の全体平面図である。
【図７】縦積み型の予備苗載置台を備えた乗用田植機の全体側面図である。
【図８】縦積み型の予備苗載置台を備えた乗用田植機の全体平面図である。
【図９】ロール状苗載置型の予備苗載置台を備えた乗用田植機の全体側面図である。
【図１０】ロール状苗載置型の予備苗載置台を備えた乗用田植機の全体平面図である。
【図１１】ロール状苗載置型の予備苗載置台の第２載置状態及び格納状態を示す要部の側面図である。
【図１２】一括供給型の予備苗載置台と左右開閉型の予備苗載置台とを備えた歩行田植機の全体側面図である。
【図１３】一括供給型の予備苗載置台と左右開閉型の予備苗載置台とを備えた歩行田植機の全体平面図である。
【図１４】左右開閉型の予備苗載置台の使用形態を示す要部の正面図である。
【図１５】一括供給型の予備苗載置台と前後開閉型の予備苗載置台とを備えた歩行田植機の全体側面図である。
【図１６】一括供給型の予備苗載置台と前後開閉型の予備苗載置台とを備えた歩行田植機の全体平面図である。
【発明を実施するための形態】
【００１７】
〔第１実施形態〕
【００１８】
以下、本発明を実施するための形態の一例として、本発明に係る田植機の予備苗載置構造を、田植機の一例である乗用田植機に適用した実施形態を図面に基づいて説明する。
【００１９】
図１及び図２に示すように、本実施形態で例示する乗用田植機は、４輪駆動型に構成した走行車体１の後部に、単動型の油圧シリンダを採用した昇降シリンダ２の作動で上下揺動する平行四連リンク式のリンク機構３を連結し、このリンク機構３の後端部に６条用の苗植付装置４を連結して構成してある。
【００２０】
走行車体１は、その前部に防振搭載したエンジン５からの動力を主変速装置として備えた静油圧式無段変速装置６にベルト伝動し、この静油圧式無段変速装置６による変速後の動力を、トランスミッションケース７の内部において走行用と作業用とに分岐するように構成してある。そして、走行用の動力を、トランスミッションケース７に副変速装置として内蔵したギア式変速装置（図示せず）に伝達し、このギア式変速装置による変速後の動力を前輪駆動用と後輪駆動用とに分岐し、前輪駆動用の動力を左右の前輪８に伝達し、後輪駆動用の動力を左右の後輪９に伝達するように構成してある。又、作業用の動力を、トランスミッションケース７に内蔵した株間変速装置（図示せず）及び植付クラッチ（図示せず）などを介して苗植付装置４に伝達するように構成してある。
【００２１】
走行車体１には、車体のフロア面を形成する搭乗ステップ１０、前輪操舵用のステアリングホイール１１、及び、運転座席１２、などを装備して搭乗運転部１３を形成してある。搭乗ステップ１０には、搭乗運転時に足置き部として使用する搭乗ステップ部１０Ａ、エンジン５などを覆うボンネット１４の左右両側方の領域を乗降路とした走行車体１に対する車体前方からの乗降を可能にする左右一対の乗降ステップ部１０Ｂ、及び、苗植付装置４に対する苗補給などの作業を行う際に踏み台として使用可能な高さを有する補助ステップ部１０Ｃ、などを備えてある。
【００２２】
苗植付装置４は、走行車体１からの作業用の動力により、最大６条のマット状苗を載置する苗載台１５が横送り機構１６の作動で左右方向に一定ストロークで往復移動し、左右方向に一定間隔をあけて並ぶように配備したロータリ式の６つの植付機構１７が、苗載台１５の下端から植付苗を所定量ずつ取り出して、左右方向に並ぶ３つの整地フロート１８で整地した圃場の泥土部に植え付けるように作動し、苗載台１５が左右のストローク端に到達するごとにベルト式の縦送り機構１９が作動して苗載台１５の各苗載置部１５Ａに載置したマット状苗を苗載台１５の下端に向けて所定ピッチで縦送りするように構成してある。
【００２３】
苗載台１５は、その上下両端にわたる７つの苗仕切壁部１５Ｂを左右方向に一定間隔をあけた状態に整列形成して隣り合う苗仕切壁部１５Ｂの間のそれぞれにマット状苗を載置する苗載置部１５Ａを区画形成してある。
【００２４】
走行車体１の後部には、苗載台１５の上部近傍箇所の一例である補助ステップ部１０Ｃの上方で運転座席１２と苗載台１５との間の位置に、予備のマット状苗を載置する予備苗載置台２０を配備してある。
【００２５】
図１〜３に示すように、予備苗載置台２０は、苗載台１５の苗仕切壁部１５Ｂと同数で同幅のチャンネル材などからなる７本の苗仕切部材２１、各苗仕切部材２１の前端部を下方から受け止める状態で支持するアングル材などからなる左右向きの第１連結部材２２、各苗仕切部材２１の後端部を下方から受け止める状態で支持するアングル材などからなる左右向きの第２連結部材２３、及び、各苗仕切部材２１の前後中間部を下方から受け止める状態で支持する平板材などからなる左右向きの第３連結部材２４、などを連結することで、隣り合う苗仕切部材２１の間のそれぞれに予備のマット状苗を載置する予備苗載置部２０Ａが区画形成されるように各苗仕切部材２１を左右方向に一定間隔（苗載台１５の苗仕切壁部１５Ｂと同じ間隔）をあけた状態に整列配置した格子状に構成してある。そして、各予備苗載置部２０Ａに対して、マット状苗を育苗箱から取り出す際に使用する苗掬い板２５を、取り出したマット状苗を載置した状態のままで各連結部材２２〜２４にわたるように載せることで、予備のマット状苗を各予備苗載置部２０Ａに載置することができるように構成してある。
【００２６】
予備苗載置台２０は、各予備苗載置部２０Ａが対応する苗載置部１５Ａと前後に並ぶ状態となるように補助ステップ部１０Ｃに立設した左右一対の支持部材２６などによって支持してある。
【００２７】
第１連結部材２２は、その各予備苗載置部２０Ａとの対応箇所に、苗掬い板２５の把持側端部の左右中央に形成した把持用の長孔２５Ａとの係合で、苗掬い板２５を予備苗載置部２０Ａに固定保持する固定部としてのフック部材２７を装備してある。
【００２８】
上記の構成から、苗掬い板２５で育苗箱から取り出したマット状苗を苗掬い板２５に載置した状態で予備苗載置台２０まで運び込んだ後、予備苗載置台２０の対応するフック部材２７を苗掬い板２５の長孔２５Ａに挿通させながら、苗掬い板２５を各連結部材２２〜２４にわたるように載せることにより、苗掬い板２５を苗載置面に利用した状態で予備のマット状苗を苗載台１５の各苗載置部１５Ａに対応する位置に安定状態で載置保持することができる。
【００２９】
図１〜３に示すように、予備苗載置台２０は、その第２連結部材２３を左右の支持部材２６に左右向きの支軸２８を介して相対揺動可能に連結することで、予備のマット状苗を載置保持する水平又は略水平の載置姿勢と、予備のマット状苗の各苗掬い板２５から苗載台１５の各苗載置部１５Ａへの供給が可能となるように前上がり傾斜した供給姿勢とに、左右向きの支軸２８を支点にした手動による姿勢変更操作が可能となるように構成してある。
【００３０】
予備苗載置台２０の前部側は、走行車体１の後部フレーム（図示せず）から予備苗載置台２０の第３連結部材２４にわたるように架設した左右一対のガスダンパ２９を介して走行車体１の後部フレームに支持させてあり、手動による予備苗載置台２０の載置姿勢から供給姿勢への姿勢変更操作を行う際には、左右のガスダンパ２９によるアシストを得られるように構成してある。
【００３１】
図示は省略するが、左右のガスダンパ２９には、それらの伸縮作動を阻止することで予備苗載置台２０を載置姿勢に保持するロック機構を装備してある。尚、ロック機構としては、左右のガスダンパ２９に装備する構成に代えて、予備苗載置台２０と左右の支持部材２６との間で設けるように構成したもの（例えば予備苗載置台２０と支持部材２６とを連結するピンなどで構成したもの）であってもよく、又、予備苗載置台２０の第１連結部材２２を支持する前側支持部材を補助ステップ部１０Ｃに立設し、この前側支持部材と第１連結部材２２との間で設けるように構成したもの（例えば前側支持部材と第１連結部材２２とを連結するピンなどで構成したもの）であってもよい。
【００３２】
図１〜３に示すように、予備苗載置台２０における各予備苗載置部２０Ａの後端部には、苗掬い板２５から対応する苗載置部１５Ａへの予備のマット状苗の供給を許容する状態と阻止する状態とに切り換え可能なストッパ３０を装備してある。各ストッパ３０は、第２連結部材２３に左右向きの支軸３１を介して相対揺動可能に連結してある。又、左右中央の苗仕切部材２１を除く他の苗仕切部材２１のそれぞれに前後揺動可能に装備した操作レバー３２の対応するものに、その操作レバー３２の揺動操作に連動して、苗掬い板２５から対応する苗載置部１５Ａへの予備のマット状苗の供給を許容する状態としての対応する苗載置部１５Ａにわたる倒伏状態と、苗掬い板２５から対応する苗載置部１５Ａへの予備のマット状苗の供給を阻止する状態としての起立状態とに切り換わるようにリンク機構３３を介して連係してある。
【００３３】
各操作レバー３２は、対応する第２連結部材２３に形成した案内溝に沿って前後揺動し、案内溝の前端部に形成した係合部との係合でストッパ３０を起立状態に保持し、案内溝の後端部に形成した係合部との係合でストッパ３０を倒伏状態に保持するように構成してある。
【００３４】
以上の構成から、各操作レバー３２を操作してストッパ３０を起立状態に保持しておくことにより、走行時の振動などに起因した予備のマット状苗の各苗掬い板２５から苗載台１５の各苗載置部１５Ａへの移動を確実に防止することができる。
【００３５】
又、各操作レバー３２を操作してストッパ３０を倒伏状態に保持した状態で、ロック機構を解除操作して予備苗載置台２０を載置姿勢から供給姿勢に姿勢変更することにより、各予備苗載置部２０Ａにフック部材２７で固定した苗掬い板２５を予備苗載置台２０に残した状態で、予備のマット状苗の全てを予備苗載置台２０の各予備苗載置部２０Ａから苗載台１５の各苗載置部１５Ａに一括供給することができる。
【００３６】
しかも、供給が必要な苗載置部１５Ａに対応する操作レバー３２を操作することで、供給が必要な苗載置部１５Ａに対応するストッパ３０を選択的に倒伏状態に保持することができ、この状態でロック機構を解除操作して予備苗載置台２０を載置姿勢から供給姿勢に姿勢変更することにより、供給が必要な所定の苗載置部１５Ａのみに予備のマット状苗を一括供給することができる。
【００３７】
図１、図２、図４及び図５に示すように、縦送り機構１９は、苗載台１５の各苗載置部１５Ａの下部に形成した矩形状の開口１５Ｃに、無端の縦送りベルト３４を、開口１５Ｃの下端部に配備した駆動ローラ３５と開口１５Ｃの上端部に配備した従動ローラ３６とにわたって回し掛けた状態で装備することで構成してある。上下の各ローラ３５，３６は樹脂製で、縦送り駆動軸３７又は従動軸３８に嵌合する内筒部３５Ａ，３６Ａと縦送りベルト３４を支持する外筒部３５Ｂ，３６Ｂとの間に、それらに放射状にわたる複数の補強リブ３５Ｃ，３６Ｃを有するように形成してある。
【００３８】
各補強リブ３５Ｃ，３６Ｃは、各ローラ３５，３６の左右の内壁３５Ｄ，３６Ｄから各ローラ３５，３６の左右の外側端３５Ｅ，３６Ｅにわたる長さを有するように形成してある。
【００３９】
上記の構成により、苗縦送り時に各ローラ３５，３６が左右に変位して、それらの左右の外側端３５Ｅ，３６Ｅが各苗載置部１５Ａにおける開口形成用の左右の側壁部１５Ｄに接触する場合には、外筒部３５Ｂ，３６Ｂの外側端だけでなく、補強リブ３５Ｃ，３６Ｃの外側端までもが苗載置部１５Ａの側壁部１５Ｄに接触することになる。そのため、外筒部３５Ｂ，３６Ｂの外側端のみが接触する場合に比較して、苗載置部１５Ａの側壁部１５Ｄに対する面圧を低下させることができて、各ローラ３５，３６の外側端３５Ｅ，３６Ｅが接触することによる苗載置部１５Ａの側壁部１５Ｄでの摩耗を効果的に抑制することができる。その結果、外筒部３５Ｂ，３６Ｂの外側端のみが接触する場合に生じる虞のあった外筒部３５Ｂ，３６Ｂの外側端が苗載置部１５Ａの側壁部１５Ｄに食い込む不都合の発生を効果的に抑制することができる。
【００４０】
尚、図１に示すように、この実施形態では、整地フロート１８が所定の姿勢で接地する苗植付装置４の作業高さ位置において、予備苗載置台２０の姿勢変更による各予備苗載置部２０Ａから苗載台１５の各苗載置部１５Ａへの予備苗供給が可能となるように、予備苗載置台２０の高さ位置を設定してあるが、これに代えて、苗植付装置４を苗補給用の所定の高さ位置まで上昇させた場合に、予備苗載置台２０の姿勢変更による各予備苗載置部２０Ａから苗載台１５の各苗載置部１５Ａへの予備苗供給が可能となるように、予備苗載置台２０の高さ位置を設定してもよい。
【００４１】
図６〜１３に示すように、この乗用田植機は、上記の予備苗載置台２０に代えて以下に示す左右一対の予備苗載置台４０、５０，６０を装備することができる。
【００４２】
図６に示すように、左右の各予備苗載置台４０は、育苗箱又は苗掬い板２５に載置した状態の予備のマット状苗などの走行車体１の前端部と後端部とにわたる車体前後方向への移送を容易にする複数の遊転ローラ４１Ａを備えた第１苗載置部４１の後端部に、育苗箱又は苗掬い板２５に載置した状態の予備のマット状苗などの車体横方向への移送を容易にする複数の遊転ローラ４２Ａを備えた第２苗載置部４２を連接して左右対称のＬ字状に形成してあり、ボンネット１４の左右両側方に乗降路を確保した状態で走行車体１の左右に分散配備してある。
【００４３】
各第１苗載置部４１は、育苗箱又は苗掬い板２５に載置した状態の３枚のマット状苗を、その長手方向を前後向きにした姿勢で前後方向に並べた状態に載置できる前後長さを有するように構成してある。又、各第２苗載置部４２は、育苗箱又は苗掬い板２５に載置した状態の３枚のマット状苗を、その長手方向を前後向きにした姿勢で左右方向に並べた状態に載置できる左右長さを有するように構成してある。つまり、左右の各予備苗載置台４０は最大１２枚のマット状苗を載置できるように構成してある。
【００４４】
このような左右一対の予備苗載置台４０を装備することにより、畦から田植機へのマット状苗の補給を容易にすることができ、又、予備のマット状苗をより多く載置できることから畦への苗補給回数を減らすことができ、結果、畦から田植機への苗補給に要する労力を軽減することができるとともに作業効率の向上を図ることができる。
【００４５】
図７及び図８に示すように、左右の各予備苗載置台５０は、走行車体１の後端部に側面視で後車軸３９の真上に位置するように立設した支柱５１に、育苗箱又は苗掬い板２５に載置した状態のマット状苗を載置することが可能な３つの予備苗載置部５２を、支柱５１から車体内向きに水平に延出する状態で、かつ、上下方向に一定間隔をあけた状態で整列配備して構成してある。
【００４６】
このような左右一対の予備苗載置台５０を装備することにより、走行車体１の後部に左右それぞれ３枚ずつの予備のマット状苗を上下方向に並べた状態で、走行車体１の前後バランスを低下させることなく配備することができる。
【００４７】
図９〜１１に示すように、左右の各予備苗載置台６０は、搭乗ステップ１０の補助ステップ部１０Ｃを予備苗載置台６０として利用するものであり、補助ステップ部１０Ｃの左右の前端部に左右向きの第１支軸６１を介して相対揺動可能に連結した側面視Ｌ字状の苗載置板６２、苗載置板６２の遊端側に第２支軸６３を介して相対揺動可能に連結した脚部６４、及び、苗載置板６２の起立姿勢での保持を可能にするロック機構（図示せず）などを備えて構成してある。
【００４８】
そして、苗載置板６２を前方に揺動し、脚部６４を苗載置板６２から搭乗ステップ１０の搭乗ステップ部１０Ａにわたる起立姿勢に切り換えることで、各予備苗載置台６０を、苗載置板６２が補助ステップ部１０Ｃの前端部から前方に向けて補助ステップ部１０Ｃのステップ面に沿う載置姿勢で延出する第１載置状態に切り換え保持することができ、このように第１載置状態に切り換え保持することで、苗載置板６２の遊端の屈曲部６２Ａと補助ステップ部１０Ｃに立設した柵フレーム１０Ｄとの間に、マット状苗をロール状に巻いたロール状苗の多数を積み重ねた状態で載置することができる〔図９参照〕。
【００４９】
又、苗載置板６２を起立姿勢に揺動させてロック機構で保持するとともに、脚部６４を苗載置板６２の遊端側から苗載置板６２に沿って垂下する垂下姿勢に切り換えることで、各予備苗載置台６０を第２載置状態に切り換え保持することができ、このように第２載置状態に切り換え保持することで、苗載置板６２と補助ステップ部１０Ｃの柵フレーム１０Ｄとの間に複数のロール状苗を積み重ねた状態で載置することができる〔図１１の（ａ）参照〕。
【００５０】
更に、苗載置板６２を後方に揺動し、脚部６４を苗載置板６２に沿う倒伏姿勢に切り換えることで、各予備苗載置台６０を、補助ステップ部１０Ｃのステップ面上で折り畳んだ格納状態に切り換え保持することができる〔図１１の（ｂ）参照〕。
【００５１】
尚、左右の各予備苗載置台６０としては、側面視Ｌ字状の苗載置板６２を、補助ステップ部１０Ｃの左右両端部から補助ステップ部１０Ｃのステップ面に沿う姿勢で前方に引き出した載置状態と、補助ステップ部１０Ｃの左右両端部の下方に補助ステップ部１０Ｃのステップ面に沿う姿勢で後方に押し入れた格納状態とに、前後方向にスライド操作可能に構成したものであってもよい。
【００５２】
図９及び図１０に示すように、補助ステップ部１０Ｃに備えた柵フレーム１０Ｄにおける左右の予備苗載置台６０の車体内側箇所には、それぞれ折り畳み式の補助椅子６５を配備してある。
【００５３】
これにより、例えば左右の予備苗載置台６０に載置したロール状苗をマット状に戻して苗載台１５の各苗載置部１５Ａに供給する苗供給作業を行う際には、作業対象の予備苗載置台６０に近い側の補助椅子６５を使用することで、足腰に負担の掛からない着座状態で上記の苗供給作業を行うことができる。
【００５４】
尚、ここでは、予備苗載置台２０に代えて左右一対の予備苗載置台４０、５０，６０を装備する構成を例示したが、予備苗載置台２０と左右一対の予備苗載置台４０、５０，６０のいずれかとを併用して、より多くの予備のマット状苗を載置できるように構成してもよい。
【００５５】
〔第２実施形態〕
【００５６】
以下、本発明を実施するための形態の一例として、本発明に係る田植機の予備苗載置構造を、田植機の一例である歩行田植機に適用した実施形態を図面に基づいて説明する。
【００５７】
図１２及び図１３に示すように、歩行田植機は、機体フレーム７１の前部にリコイルスタータ式のエンジン７２を搭載し、そのエンジン７２からの走行用の動力で駆動する一対の車輪７３を機体フレーム７１の左右に配備し、エンジン７２からの作業用の動力で駆動する苗植付装置７４を機体フレーム７１の後部に装備し、その苗植付装置７４の後方に操縦部７５を備えて構成してある。
【００５８】
苗植付装置７４は、エンジン１からの作業用の動力により最大４条のマット状苗を載置する苗載台７６が横送り機構７７の作動で左右方向に一定ストロークで往復移動し、左右方向に一定間隔をあけて並ぶように配備したクランクアーム式の４つの植付機構７８が、苗載台７６の下端から植付苗を所定量ずつ取り出して、左右方向に並ぶ３つの整地フロート７９で整地した圃場の泥土部に植え付けるように作動し、苗載台７６が左右の各ストローク端に到達するごとにスターホイール式の縦送り機構８０が作動して苗載台７６の各苗載置部７６Ａに載置したマット状苗を苗載台１５の下端に向けて所定ピッチで縦送りするように構成してある。
【００５９】
苗載台７６は、その上下両端にわたる５つの苗仕切壁部７６Ｂを左右方向に一定間隔をあけた状態に整列形成して隣り合う苗仕切壁部７６Ｂの間のそれぞれにマット状苗を載置する苗載置部７６Ａを区画形成してある。
【００６０】
苗載台７６の上部近傍箇所の一例である苗載台７６の上方には、予備のマット状苗を載置する予備苗載置台８１を配備してある。
【００６１】
予備苗載置台８１は、苗載台７６の苗仕切壁部７６Ｂと同数で同幅のチャンネル材などからなる５本の苗仕切部材８２、各苗仕切部材８２の前端部を下方から受け止める状態で支持するアングル材などからなる左右向きの第１連結部材８３、各苗仕切部材８２の後端部を下方から受け止める状態で支持する平板材などからなる左右向きの第２連結部材８４、及び、各苗仕切部材８２の前後中間部を下方から受け止める状態で支持する平板材などからなる左右向きの第３連結部材８５、などを連結することで、隣り合う苗仕切部材８２の間のそれぞれに予備のマット状苗を載置する予備苗載置部８１Ａが区画形成されるように各苗仕切部材８２を左右方向に一定間隔（苗載台７６の苗仕切壁部７６Ｂと同じ間隔）をあけた状態に整列配置した格子状に構成してある。そして、各予備苗載置部８１Ａに対して、マット状苗を育苗箱から取り出す際に使用する苗掬い板２５を、取り出したマット状苗を載置した状態のままで各連結部材８３〜８５にわたるように載せることで、予備のマット状苗を各予備苗載置部８１Ａに載置することができるように構成してある。
【００６２】
予備苗載置台８１は、各予備苗載置部８１Ａが対応する苗載置部７６Ａと上下に並ぶ状態となるように苗載台７６に立設した左右一対の支持部材８６などによって支持してある。
【００６３】
第１連結部材８３は、その各予備苗載置部８１Ａとの対応箇所に、苗掬い板２５の把持側端部の左右中央に形成した把持用の長孔２５Ａとの係合で、苗掬い板２５を予備苗載置部８１Ａに固定保持する固定部としてのフック部材２７を装備してある。
【００６４】
上記の構成から、苗掬い板２５で育苗箱から取り出したマット状苗を苗掬い板２５に載置した状態で予備苗載置台８１まで運び込んだ後、予備苗載置台８１の対応するフック部材２７を苗掬い板２５の長孔２５Ａに挿通させながら、苗掬い板２５を各連結部材８３〜８５にわたるように載せることにより、苗掬い板２５を苗載置面に利用した状態で予備のマット状苗を苗載台７６の各苗載置部７６Ａに対応する位置に安定状態で載置保持することができる。
【００６５】
予備苗載置台８１は、その第２連結部材８４を左右の支持部材８６に左右向きの支軸２８を介して相対揺動可能に連結することで、予備のマット状苗を載置保持する苗載台７６と平行の載置姿勢と、予備のマット状苗の各苗掬い板２５から苗載台７６の各苗載置部７６Ａへの供給が可能となるように載置姿勢から前下がり傾斜した供給姿勢とに、左右向きの支軸２８を支点にした手動による姿勢変更操作が可能となるように構成してある。
【００６６】
予備苗載置台８１の前部側は、苗載台７６の左右両端と予備苗載置台８１の左右両端の苗仕切部材８２とにわたるように架設した左右一対の腰折れリンク８７を介して苗載台７６に支持させてある。
【００６７】
左右の各腰折れリンク８７は、引っ張りバネ８８の作用で予備苗載置台８１を載置姿勢に保持する伸長状態に復帰し、リンク同士の係合作用で伸長状態を維持するように構成してある。又、操縦部７５に備えた予備苗供給用の第１レバー８９に、その第１レバー８９の揺動操作に連動して、伸長状態と予備苗載置台８１を供給姿勢に保持する屈曲状態とに切り換わるようにレリーズワイヤ９０を介して連係してある。
【００６８】
第１レバー８９は、操縦部７５に備えた案内板（図示せず）の案内溝に沿って上下揺動し、案内溝の下端部に形成した係合部との係合で左右の各腰折れリンク８７を屈曲状態に維持して予備苗載置台８１を供給姿勢に保持するように構成してある。
【００６９】
予備苗載置台８１の前端部には、予備苗載置台８１から苗載台７６への予備のマット状苗の供給を許容する状態と阻止する状態とに切り換え可能なストッパ９１を装備してある。ストッパ９１は、第２連結部材８４に左右向きの支軸９２を介して相対揺動可能に連結してある。又、操縦部７５に備えた予備苗供給用の第２レバー９３に、その第２レバー９３の揺動操作に連動して、予備苗載置台８１から苗載台７６への予備のマット状苗の供給を許容する状態としての予備苗載置台８１から各苗載置部７６Ａにわたる倒伏状態と、予備苗載置台８１から苗載台７６への予備のマット状苗の供給を阻止する状態としての起立状態とに切り換わるようにレリーズワイヤ９４を介して連係してある。ストッパ９１の遊端には、倒伏状態への切り換え時に苗載台７６の各苗仕切壁部７６Ｂの係入を許容するスリット（図示せず）を形成してある。
【００７０】
第２レバー９３は、操縦部７５に備えた案内板（図示せず）の案内溝に沿って上下揺動し、案内溝の下端部に形成した係合部との係合でストッパ９１を起立状態に保持するように構成してある。
【００７１】
以上の構成から、苗載台７６の各苗載置台７６Ａに苗補給が不要な所定量以上のマット状苗が載置されている場合には、第１レバー９３の操作で予備苗載置台８１を載置姿勢に保持した状態で、第２レバー９３の操作でストッパ９１を起立状態に保持しておくことにより、走行時の振動などに起因した予備のマット状苗の各苗掬い板２５から苗載台７６の各苗載置部７６Ａへの移動を確実に防止することができる。
【００７２】
又、苗載台７６の各苗載置台７６Ａに載置したマット状苗の残量が苗補給を要する所定量以下に低下した場合には、第１レバー９３の操作で予備苗載置台８１を供給姿勢に切り換えた状態で、第２レバー９３の操作でストッパ９１を倒伏状態に切り換えることで、各予備苗載置部８１Ａにフック部材２７で固定した苗掬い板２５を予備苗載置台８１に残した状態で、予備のマット状苗の全てを予備苗載置台８１の各予備苗載置部８１Ａから苗載台７６の各苗載置部７６Ａに一括供給することができる。
【００７３】
尚、上記のストッパ９１に代えて、第１実施形態で例示した苗掬い板２５から対応する苗載置部７６Ａへの予備のマット状苗の供給を許容する状態と阻止する状態とに格別に切り換え可能なストッパ３０を装備し、各ストッパ３０に格別に操作連係した複数の第２レバー９３を装備して、供給が必要な苗載置部７６Ａに対応するストッパ３０を選択的に倒伏状態に切り換え保持できるように構成してもよい。
【００７４】
図１２〜１４に示すように、機体フレーム７１の前後中間部に立設した補助フレーム９５には、マット状苗をロール状に巻いたロール状苗の多数を積み重ねた状態で載置することが可能な予備苗載置台９６を装備してある。この予備苗載置台９６は、補助フレーム９５に固定した第１苗載置部９６Ａと、この第１苗載置部９６Ａの左右両端部に前後向きの支軸９６Ｂを介して左右方向に相対揺動可能に連結した左右一対の第２苗載置部９６Ｃとで左右開閉型に構成してある。
【００７５】
第１苗載置部９６Ａ及び左右の各第２苗載置部９６Ｃは、周壁を有する平面視矩形のトレイ状に形成してある。
【００７６】
左右の各第２苗載置部９６Ｃは、前後向きの支軸９６Ｂを支点にした揺動操作で、第１苗載置部９６Ａに対してその上面との間に載置空間を有する状態で折り重なる格納姿勢と、第１苗載置部９６Ａの左右に張り出す張出姿勢とに切り換わるように構成してある。又、その格納姿勢で上面になる面の左右両端部には、格納姿勢でのロール状苗の積み重ね載置を可能にするための帯板からなる縦壁部材９６Ｄを前後方向に長くなる姿勢で起立装備してある。
【００７７】
つまり、作業状況などに応じて格納姿勢と張出姿勢とに切り換え可能でありながら、格納姿勢と張出姿勢のいずれの場合においても多数のロール状苗を積み重ね載置することができる予備苗載置台９６を装備してあることで、畦への苗補給回数を減らすことができ、作業効率の向上を図ることができる。特に往復の作業経路が長い圃場での作業に有効である。
【００７８】
図１５及び図１６に示すように、前述した左右揺動式の予備苗載置台９６に代えて、前後揺動型の予備苗載置台９７を補助フレーム９５に装備するように構成してもよい。
【００７９】
この予備苗載置台９７は、補助フレーム９５に固定した第１苗載置部９７Ａと、この第１苗載置部９７Ａの前端部に左右向きの支軸９７Ｂを介して前後方向に相対揺動可能に連結した第２苗載置部９７Ｃとで構成してある。
【００８０】
第１苗載置部９７Ａ及び第２苗載置部９７Ｃは、周壁を有する平面視矩形のトレイ状に形成してある。
【００８１】
第２苗載置部９７Ｃは、左右向きの支軸９７Ｂを支点にした揺動操作で、第１苗載置部９７Ａに対してその上面との間に載置空間を有する状態で折り重なる格納姿勢と、第１苗載置部９７Ａの前方に張り出す張出姿勢とに切り換わるように構成してある。又、その格納姿勢で上面になる面の前後両端部には、格納姿勢ではロール状苗の積み重ね載置を可能にするための苗受具となり、張出姿勢ではボンネット９８に接当する脚部となる高さの異なる補助部材９７Ｄを左右向きに装備してある。
【００８２】
つまり、作業状況などに応じて格納姿勢と張出姿勢とに切り換え可能でありながら、格納姿勢と張出姿勢のいずれの場合においても多数のロール状苗を積み重ね載置することができる予備苗載置台９７を装備してあることで、畦への苗補給回数を減らすことができ、作業効率の向上を図ることができる。特に往復の作業経路が長い圃場での作業に有効である。又、予備苗載置台９７に対するロール状苗の載置位置を調節することで機体の前後バランスを調節することができる利点をも有する。
【００８３】
〔別実施形態〕
【００８４】
〔１〕予備苗載置台２０，８１としては、第１〜第３連結部材２２〜２４，８３〜８５を各苗仕切部材２１，８２で連結する構成に代えて、第１〜第３連結部材２２〜２４，８３〜８５を前後向きの連結部材で連結するように構成して、予備のマット状苗の間に仕切りを備えないものであってもよい。
【００８５】
〔２〕予備苗載置台２０，８１としては、苗載台１５の上部近傍箇所に姿勢変更不能に固定配備したものであってもよい。
【００８６】
〔３〕予備苗載置台２０，８１としては、電動シリンダなどのアクチュエータの作動で載置姿勢と供給姿勢とに姿勢変更可能に構成したものであってもよい。
【００８７】
〔４〕乗用田植機に第２実施形態で例示した予備苗載置台８１を装備し、歩行田植機に第１実施形態で例示した予備苗載置台２０を装備するように構成してもよい。
【００８８】
〔５〕予備苗載置台２０，８１には種々の材料を使用することができ、例えば軽量鋼材、アルミニウム合金材、又は、樹脂材などを使用することができる。
【００８９】
〔６〕固定部２７としては、苗掬い板２５における長孔２５Ａの左右両端部に係入することで、苗掬い板２５を苗載台１５，７６の苗載置部１５Ｂ，７６Ｂに対応する位置に固定する左右一対のフック部材２７で構成したものであってよい。又、フック部材２７に代えて頭付きピンや苗掬い板２５の長孔２５Ａの全域にわたって係合する横長の係合片などで構成したものであってもよい。
【００９０】
〔７〕ストッパ２０を電動シリンダなどのアクチュエータの作動で起立状態と倒伏状態とに切り換え可能に構成したものであってもよい。
【産業上の利用可能性】
【００９１】
本発明に係る田植機の予備苗載置構造は、複数の苗仕切壁部を左右方向に一定間隔をあけた状態に整列形成して隣り合う苗仕切壁部の間のそれぞれにマット状苗を載置する苗載置部を区画形成した苗載台の上部近傍箇所に予備のマット状苗を載置する予備苗載置台を配備した乗用田植機や歩行田植機に適用することができる。
【符号の説明】
【００９２】
１５    苗載台
１５Ａ  苗載置部
１５Ｂ  苗仕切壁部
２０    予備苗載置台
２７    固定部
２８    支軸
３０    ストッパ
７６    苗載台
７６Ａ  苗載置部
７６Ｂ  苗仕切壁部
８１    予備苗載置台
【図１】
2012244911.tif 000003
【図２】
2012244911.tif 000004
【図３】
2012244911.tif 000005
【図４】
2012244911.tif 000006
【図５】
2012244911.tif 000007
【図６】
2012244911.tif 000008
【図７】
2012244911.tif 000009
【図８】
2012244911.tif 000010
【図９】
2012244911.tif 000011
【図１０】
2012244911.tif 000012
【図１１】
2012244911.tif 000013
【図１２】
2012244911.tif 000014
【図１３】
2012244911.tif 000015
【図１４】
2012244911.tif 000016
【図１５】
2012244911.tif 000017
【図１６】
2012244911.tif 000018